(57)【要約】【課題】ＳＡＲを軽減する。【解決手段】タブレット端末１０が搭載する無線ＷＡＮのアンテナ１０１、１０３が人体１５１の部位１５３、１５５に接近している。通信モードではアンテナ１０１、１０３のいずれか一方だけが送信アンテナとして機能する。アンテナ１０１が送信アンテナのときは部位１５３が電磁波エネルギーを吸収し、アンテナ１０３が送信アンテナのときは部位１５５が電磁波エネルギーを吸収する。アンテナ１０１、１０３は、ＳＡＲの評価時間未満の周期でいずれかが送信アンテナとなるように切り換えられる。部位１５３、１５５は、切り換え前に比べてエネルギーの吸収量が半分になる。【選択図】図１
2016032138.tif 000002
【特許請求の範囲】
【請求項１】
人体に接近した状態で使用することが可能な携帯式電子機器であって、
送信に使用することが可能な第１のアンテナと、
送信に使用することが可能な第２のアンテナと、
前記第１のアンテナまたは前記第２のアンテナから電波を放射することが可能な送信回路と、
前記送信回路が電波を放射するアンテナを所定の周期で前記第１のアンテナまたは前記第２のアンテナの間で双方向に切り換える制御部と
を有する携帯式電子機器。
【請求項２】
前記所定の周期がＳＡＲ（Specific Absorption Rate）の評価時間未満である請求項１に記載の携帯式電子機器。
【請求項３】
タッチスクリーンが配置された筐体の面が矩形状で、前記第１のアンテナと前記第２のアンテナが前記筐体の同一の辺に配置されている請求項１に記載の携帯式電子機器。
【請求項４】
タッチスクリーンが配置された筐体の面が矩形状で、前記第１のアンテナと前記第２のアンテナが前記筐体の異なる辺に配置されている請求項１に記載の携帯式電子機器。
【請求項５】
前記第１のアンテナおよび前記第２のアンテナが無線ＷＡＮに適用される請求項１に記載の携帯式電子機器。
【請求項６】
前記携帯式電子機器が、タブレット端末である請求項１に記載の携帯式電子機器。
【請求項７】
第１のアンテナと第２のアンテナを備える携帯式電子機器に接近した人体が吸収する電磁波エネルギーを低減する方法であって、
前記第１のアンテナから送信し、前記第２のアンテナからの送信を停止する第１の送信ステップと、
前記第２のアンテナから送信し、前記第１のアンテナからの送信を停止する第２の送信ステップと、
前記第１のアンテナからの送信と前記第２のアンテナからの送信を所定の周期で切り換えるステップと
を有する方法。
【請求項８】
送信アンテナを切り換えないときにＳＡＲ（Specific Absorption Rate）の基準を満たす前記第１のアンテナまたは前記第２のアンテナの利得よりも、前記第１のアンテナまたは前記第２のアンテナの利得が大きい請求項７に記載の方法。
【請求項９】
前記切り換えるステップを、受信モードのタイミングで実行する請求項７に記載の方法。
【請求項１０】
前記切り換えるステップにおいて、切り換え前に送信パケットをバッファに蓄積し切り換え後にバッファから読み出すステップを有する請求項７に記載の方法。
【請求項１１】
人体に接近した状態で使用することが可能な携帯式電子機器であって、
送信に使用可能なアンテナと、
筐体の内部で前記アンテナの位置を移動させるアクチュエータと、
前記アンテナが所定の周期で移動するように前記アクチュエータの動作を制御する制御部と
を有する携帯式電子機器。
【請求項１２】
タッチスクリーンが配置された筐体の面が矩形状で、前記アクチュエータは前記アンテナを前記筐体のいずれかの辺に沿って往復移動させる請求項１１に記載の携帯式電子機器。
【請求項１３】
前記往復移動の周期が、ＳＡＲ（Specific Absorption Rate）の評価時間の２倍未満である請求項１１に記載の携帯式電子機器。
【請求項１４】
タッチスクリーンが配置された筐体の面が矩形状で、前記アクチュエータは前記アンテナを前記筐体のコーナーにおいて一方の辺と他方の辺の間で回動させる請求項１１に記載の携帯式電子機器。
【請求項１５】
前記携帯式電子機器が、タブレット端末である請求項１１に記載の携帯式電子機器。
【請求項１６】
携帯式電子機器に接近した人体が吸収する電磁波エネルギーを低減する方法であって、
前記携帯式電子機器が搭載するアンテナから電波を送信するステップと、
前記アンテナが前記人体の所定の部位に放射する電磁波エネルギーの量が周期的に変化するように前記アンテナの筐体における位置を変更するステップと
を有する方法。
【請求項１７】
前記変更するステップが、前記アンテナの位置を平行移動させるステップを含む請求項１６に記載の方法。
【請求項１８】
前記変更するステップが、前記アンテナを回動させるステップを含む請求項１６に記載の方法。
【請求項１９】
第１のアンテナと第２のアンテナを備える携帯式電子機器に接近した人体が吸収する電磁波エネルギーを低減するために、前記携帯式電子機器に、
送信パケットを生成する機能と、
前記送信パケットを前記第１のアンテナと前記第２のアンテナのいずれか一方から送信するように周期的に送信するアンテナを切り換える機能と
を実現させるためのコンピュータ・プログラム。
【請求項２０】
送信アンテナを備える携帯式電子機器に接近した人体が吸収する電磁波エネルギーを低減するために、前記携帯式電子機器に、
前記送信アンテナから電波を放射する機能と、
所定の周期で筐体に対する前記送信アンテナの位置を変更する機能と
を実現させるためのコンピュータ・プログラム。
【発明の詳細な説明】
【技術分野】
【０００１】
本発明は、アンテナが放射する電磁波エネルギーの人体の吸収量を低減する技術に関し、さらには、通信のスループットが低下しないようにしながら電磁波エネルギーの吸収量を低減する技術に関する。
【背景技術】
【０００２】
スマートフォン、タブレット端末またはノートブック型パーソナル・コンピュータのような携帯式電子機器は、無線ＷＡＮまたは無線ＬＡＮなどの無線通信をするためのアンテナを搭載する。携帯式電子機器は、人体に接近した状態で使用するため、アンテナが放射する電磁波エネルギーを人体が吸収することによる安全性が問題になっている。多くの国ではこのエネルギーの吸収量を、電磁波の電力量の指標である比吸収率（ＳＡＲ（Specific Absorption Rate）：単位質量の人体組織に単位時間に吸収されるエネルギー）として定義して許容量を定めている。なお、ＳＡＲには全身について平均した全身平均ＳＡＲと、１０ｇまたは１ｇといった局所の生体組織で平均した局所ＳＡＲが定義されているが、携帯式電子器で問題にするのは局所ＳＡＲであるため、本明細書のＳＡＲは局所ＳＡＲを意味する。
【０００３】
たとえば、日本では総務省令・無線設備規則第十四条の二が、携帯無線通信を行う陸上移動局に対するＳＡＲの基準値を定めている。同規則では、電磁界に晒されることによって人体における任意の生体組織１０ｇが任意の６分に吸収したエネルギーを１０ｇで除し、さらに６分で得た値を２．０Ｗ／ｋｇ（１０ｇ）以下とすることを規定している。同様に米国では１．６Ｗ／ｋｇ（１ｇ）、ＥＵでは２．０Ｗ／ｋｇ（１０ｇ）などのように定めている。国ごとにＳＡＲの基準値は異なるが、一般的に携帯式電子機器を保持する手を除いて、頭部、胸部および腹部などを評価の対象にしている。
【０００４】
特許文献１は、複数のアンテナを備える携帯端末装置において、保持方向や設置状況から人体に接近したアンテナを検出して送信を停止することでＳＡＲ特性を改善する発明を開示する。特許文献２は、タブレット使用モードで動作する携帯式コンピュータが画面の方向を検出して人体に近いアンテナからの送信を停止する発明を開示する。同文献には、アンテナが人体側に位置するような方向での画面変更の指示があったときに、アンテナが電波の送信を停止しているときは変更の指示を実行するが、電波の送信をしている間は変更の指示を無視することが記載されている。
【０００５】
特許文献３は、突出アンテナとフリッパ・アンテナで構成されたダイバシティ・システムを搭載する携帯電話においてＳＡＲを軽減する発明を開示する。同文献には、フリッパが開かれて通信状態のときは人体から遠いフリッパ・アンテナから送信し、フリッパが閉じられた待機状態のときは突出アンテナから送信することでＳＡＲを軽減することが記載されている。特許文献４は、送信アンテナに人体が接近したときに自動的に送信出力を低下させる無線モジュールの発明を開示する。
【先行技術文献】
【特許文献】
【０００６】
【特許文献１】特開２００６−３４０１８０号公報
【特許文献２】特開２００８−９０３４５号公報
【特許文献３】特開２００１−３５８８０２号公報
【特許文献４】特開２０１３−２５５１５６号公報
【発明の概要】
【発明が解決しようとする課題】
【０００７】
これまでのダイナミックなＳＡＲの軽減方法は、人体センサや画面の表示方向から人体に接近するアンテナを特定して当該アンテナからの電波を停止したり出力を下げたりするものであった。またスタティックなＳＡＲの軽減方法は、使用状態での人体とアンテナの距離を広げたりあるいは人体方向への放射を抑制するためのシールドを施したりするものであった。このような軽減方法は、いずれも送信のスループットの低下をもたらし、さらには、適用が複数の送信アンテナを搭載する通信システムに限られる。さらに、複数の送信アンテナを備えていても、それらがいずれも筐体の同一の辺に沿って配置されて人体に接近するときは、すべての送信アンテナからの電波の放射を停止するか出力を低下させる必要があるためスループットの低下は免れない。
【０００８】
携帯式電子機器に搭載される無線システムのなかで、送信出力が大きい無線ＷＡＮは、送信時のスループットの低下を抑制しながらＳＡＲを低減することが特に難しい。また、スマートフォンに搭載する無線ＷＡＮの送信アンテナは、通話中に耳ではなく口元に近い筐体の端部に配置することで人体からの間隔を空けることができるため、比較的ＳＡＲ対策が容易である。しかし、人体の腹部や胸部に接触するように抱えて使用することがあるタブレット端末では、これまでの方法でスループットを維持しながらＳＡＲ対策をすることは難しい。
【０００９】
そこで本発明の目的は、携帯式電子機器のＳＡＲを軽減する方法を提供することにある。さらに本発明の目的は、スループットの低下を抑制しながらＳＡＲを軽減する方法を提供することにある。さらに本発明の目的は、各国のＳＡＲの基準を満たす方法を提供することにある。さらに本発明の目的は、送信アンテナが１個しかない通信システムのスループットを低下させないでＳＡＲを軽減する方法を提供することにある。さらに本発明の目的は、そのような方法を実現する携帯式電子機器およびコンピュータ・プログラムを提供することにある。
【課題を解決するための手段】
【００１０】
本発明は、人体に接近した状態で使用することが可能な携帯式電子機器のＳＡＲを軽減する。携帯式電子機器は、送信に使用することが可能な第１のアンテナと、送信に使用することが可能な第２のアンテナを搭載する。送信回路は第１のアンテナまたは第２のアンテナから電波を放射することが可能である。制御部は、送信回路が電波を放射するアンテナを所定の周期で第１のアンテナまたは第２のアンテナの間で双方向に切り換える。
【００１１】
上記構成により、送信アンテナを第１のアンテナまたは第２のアンテナのいずれかに固定するよりもＳＡＲを軽減することができる。携帯式電子機器は、腹部や胸部に筐体を接触して使用することが予想されるタブレット端末とすることができる。タブレット端末には、タッチスクリーンを反転させてタブレット・モードで使用することが可能なノートブック型パーソナル・コンピュータも含む。
【００１２】
所定の周期を各国が定めるＳＡＲの評価時間未満とすれば、第１のアンテナと第２のアンテナを離隔して配置することで、ＳＡＲの基準を満たすことができるようになる。タッチスクリーンが配置された筐体の面が矩形状で、第１のアンテナと第２のアンテナが筐体の同一の辺に配置されている場合には、第１のアンテナと第２のアンテナを切り換えることでスループットを低下させないようにしながらＳＡＲを軽減することができる。第１のアンテナと第２のアンテナが筐体の異なる辺に配置されている場合には、人体が接近していない辺に配置されたアンテナを特定することなくＳＡＲを軽減することができる。本発明は、アンテナが無線ＷＡＮモジュールに適用するものである場合に特に効果的である。
【００１３】
本発明の第２の態様にかかる携帯式電子機器は、筐体に配置された送信に使用可能なアンテナと、筐体の内部でアンテナの位置を移動させるアクチュエータと、アンテナが所定の周期で移動するようにアクチュエータの動作を制御する制御部とを有する。タッチスクリーンが配置される筐体の面が矩形状のときに、アクチュエータはアンテナが筐体のいずれかの辺に沿って往復移動させることができる。往復移動の周期は、ＳＡＲの評価時間の２倍未満にすることができる。また、アクチュエータはアンテナが筐体のコーナーで一方の筐体の辺と他方の筐体の辺の間で回動させることができる。
【発明の効果】
【００１４】
本発明により、携帯式電子機器のＳＡＲを軽減する方法を提供することができた。さらに本発明により、スループットの低下を抑制しながらＳＡＲを軽減する方法を提供することができた。さらに本発明により、各国のＳＡＲの基準を満たす方法を提供することができた。さらに本発明により、送信アンテナが１個しかない通信システムのスループットを低下させないでＳＡＲを軽減する方法を提供することができた。さらに本発明により、そのような方法を実現する携帯式電子機器およびコンピュータ・プログラムを提供することができた。
【図面の簡単な説明】
【００１５】
【図１】ＳＡＲを低減するための第１の実施形態の概要を説明するための図である。
【図２】ＳＡＲを低減するための第１の実施形態の概要を説明するための図である。
【図３】タブレット端末１０が搭載するＳＡＲ軽減システム２００の構成を説明するための機能ブロック図である。
【図４】ＳＡＲを低減するための第２の実施形態の概要を説明するための図である。
【図５】タブレット端末１０が搭載するＳＡＲ軽減システム３００の構成を説明するための機能ブロック図である。
【図６】ＳＡＲを低減するための第２の実施形態の概要を説明するための図である。
【発明を実施するための形態】
【００１６】
［第１の実施形態］
図１は、ＳＡＲを低減するための第１の実施形態の概要を説明するための図である。タブレット端末１０は、タッチスクリーン１３が配置された筐体の面が矩形状に形成されており、タッチスクリーン１３の周囲には縁枠１１が形成されている。縁枠１１に、上側の短辺１１ａ、下側の短辺１１ｃ、右側の長辺１１ｂ、および左側の長辺１１ｄを定義する。縁枠１１の領域の筐体の内部には、短辺１１ａに無線ＬＡＮのアンテナ１０５、１０７が配置され、短辺１１ｃに無線ＷＡＮのアンテナ１０１、１０３が配置されている。この状態で人体１５１が筐体を手で保持している。
【００１７】
無線ＬＡＮのアンテナ１０５、１０７は送信モードのときに同時に電波を放射し、受信モードのときに同時に電波を受信するように使用する。無線ＷＡＮのアンテナ１０１、１０３は、受信モードのときに同時に電波を受信するように使用するが、送信モードのときはいずれか一方のアンテナだけから電波を送信するように使用する。この状態では無線ＷＡＮのアンテナ１０１、１０３が人体１５１の胸部や腹部に最も接近するが、上下を反転して持ち替えると、無線ＬＡＮのアンテナ１０５、１０７が人体１５１に最も接近することになる。
【００１８】
無線ＷＡＮは無線ＬＡＮよりも送信出力が大きいため、ＳＡＲは筐体が図１の状態で保持されたときに最も大きくなる。これに対して図２（Ａ）のように、短辺１１ｃに無線ＷＡＮのアンテナ１０１と無線ＬＡＮのアンテナ１０５を配置し、短辺１１ａに無線ＷＡＮのアンテナ１０３ａと無線ＬＡＮのアンテナ１０７を配置する方法もある。この場合、アンテナ１０１とアンテナ１０５から同時に電波を放射することがある場合は、アンテナ１０１とアンテナ１０５から同時に電波を放射した状態でＳＡＲを評価する必要があるため、２つのアンテナ１０１、１０５の間にあって両方のエネルギーを吸収する部位でのＳＡＲは図１の配置の場合よりも大きくなる。図２（Ｂ）の配置については後に説明する。
【００１９】
図１に戻って、アンテナ１０１またはアンテナ１０３のいずれか一方が電波を放射したときに、それぞれ１０ｇに相当する人体の部位１５３、１５５がエネルギーを吸収する。なお、部位１５３は実質的にアンテナ１０３の電波の影響をうけず、部位１５５は、実質的にアンテナ１０１の電波の影響を受けないように両者は距離Ｌだけ離れて配置されているものとする。このとき距離Ｌは約２ｃｍ以上とすることができる。この状態でたとえば６分といったＳＡＲの評価時間の間、いずれかのアンテナ１０１、１０３から電波が放射されたときに、対応する部位１０１、１０３がＳＡＲの基準を満たす必要がある。
【００２０】
図３は、タブレット端末１０が搭載するＳＡＲ軽減システム２００の構成を説明するための機能ブロック図である。無線ＷＡＭモジュール２０５は、受信回路２０５ａ、切換回路２０５ｂ、送信回路２０５ｃを含み、ＯＳＩ参照モデルの物理層を構成する。切換回路２０５ｂは、送信回路２０５ｃをアンテナ１０１またはアンテナ１０３のいずれかに接続する。受信回路２０５ａは常時、アンテナ１０１および１０３に接続されている。したがって、無線ＷＡＮモジュール２０５は送信モードのときにアンテナ１０１、１０３のいずれか一方を送信アンテナとして使用し、受信モードのときは両方を受信アンテナとして使用する。
【００２１】
システム２０９は、ＣＰＵ２０９ａ、システム・メモリ２０９ｂ、チップセット２０９ｃなどのハードウェアと、ネットワーク・ドライバ２１１、ＯＳ２０９ｄ、およびアプリケーション２０９ｅなどのソフトウェアで構成され、ＯＳＩ参照モデルのデータ・リンク層より上位のプロトコル層を構成する。システム２０９は、ネットワーク・ドライバ２１１を除いて周知である。システム２０９は、無線ＷＡＭモジュール２０５に対してパケットの送受信を行う。本実施の形態との関連においてネットワーク・ドライバ２１１は、送信モードのときに切換回路２０５ｂの制御および送信アンテナの切り換えのためのパケットの制御を行う。
【００２２】
ネットワーク・ドライバ２１１は、送信モードのときに切換回路２０５ｂを制御して所定の周期で送信アンテナをアンテナ１０１、１０３のいずれか一方に切り換える。所定の周期による切り換えはスループットの低下を防ぎながらＳＡＲの基準を満たす目的で行うもので、ダイバシティ送信で電波の品質によって送信アンテナを切り換える目的とは異なる。
【００２３】
このときいずれのアンテナ１０１、１０３から電波を放射しても、部位１５３、１５５は対応するアンテナ１０１、１０３からエネルギーを吸収する。いま、アンテナ１０１、１０３の利得Ｐを同一として、送信アンテナを切り換えないでアンテナ１０１を送信アンテナとして固定したときに部位１５３がＳＡＲの評価時間ｔの間にＳＡＲの許容値Ｓに等しいエネルギーＷ０を吸収するものとする（Ｗ０＝Ｓ）。
【００２４】
ネットワーク・ドライバ２１１が、たとえば評価時間ｔのうち、最初の０．５ｔをアンテナ１０１から放射し残りの０．５ｔをアンテナ１０３から放射するように周期的に送信アンテナを切り換えると、部位１５３が吸収するエネルギーＷ１はＷ０／２になりＷ１＜ＳになってＳＡＲの基準を満たす。送信アンテナをアンテナ１０１に固定した場合には部位１５５が吸収するエネルギーはゼロであり、周期的な切り換えにより部位１５５が吸収するエネルギーＷ２はＷ０／２まで上昇するがこれもＳＡＲの基準値を満たす。
【００２５】
利得Ｐを３ｄＢ低下させたアンテナ１０１を送信アンテナに固定した場合の部位１５３が吸収するエネルギーＷ３もＷ０／２になる。これらのことより、周期的な切り換えによるＳＡＲの低減方法は、アンテナ１０１を送信アンテナとして固定した場合に比べて以下の２つの面で捕らえることができる。部位１５３、１５５は、利得Ｐのアンテナ１０１、１０３からそれぞれ評価時間ｔのうち０．５ｔしかエネルギーを吸収しないため、アンテナ１０１、１０３の利得がＰのときにＷ＝Ｓであれば、一方のアンテナが送信している時間に相当する切換周期を評価時間ｔ未満の範囲に設定することでＳＡＲの基準を満たすことができる。
【００２６】
また、送信アンテナの利得Ｐをそれぞれ３ｄＢ未満の範囲で増加させても切換周期をｔ／２にすれば、部位１５１、１５３はＳＡＲの基準を満たすことができるため利得Ｐを増加させてスループットの低下を抑制することができる。送信アンテナは、図２（Ｂ）に示すように長辺１１ｂ、１１ｄにさらに無線ＷＡＮのアンテナ１０３ｂ、１０３ｄを配置することもできる。この場合は、送信アンテナはいずれか１個であるため、ネットワーク・ドライバ２１１は、アンテナ１０１、１０３、１０３ｂ、１０３ｄがそれぞれｔ／４ずつ利得Ｐで放射するようにサイクリックに切り換えることもできる。
【００２７】
このとき、各アンテナに対応する部位が吸収するエネルギーＷはＷ０／４になり、送信アンテナの利得Ｐを６ｄＢ未満の範囲で増加させてもＳＡＲの基準を満たすことができる。人体が接近した辺とは異なる辺に送信アンテナがある場合は、従来の方法では、人体に接近していないアンテナを検出して切り換えることができたが、本実施の形態では人体に接近していないアンテナを検出する必要がなく、周期的な切り換えだけでＳＡＲの基準を満たすことができ、かつ、スループットの低下を抑制できる。
【００２８】
ネットワーク・ドライバ２１１は送信モードの間に送信アンテナを切り換えるときは、送信回路２０５ｃへのパケットの転送を一時的に中断して切換バッファ２０７に記憶する。ネットワーク・ドライバ２１１は切り換えが終わったあとに切換バッファ２０７からパケットを取り出して送信回路２０５ｃに送る。この場合、切り換えの間にわずかに送信のスループットが低下する。他の方法としてネットワーク・ドライバ２１１は送信モードのときに、たとえば、評価時間の６分間のうち、最初の３分間はアンテナ１０１から送信し、それ以降は受信モードに切り換わったタイミングでアンテナ１０３に切り換えることができる。
【００２９】
ネットワーク・ドライバ２１１は、送信モードが継続することで３分経過しても受信モードに切り換わらない場合は、６分間が経過する前に切換バッファ２０７を利用して強制的にアンテナ１０３に切り換えることができる。その後同様の手順で最初の３分間を経過するまでアンテナ１０３から電波を放射してから受信モードのときにアンテナ１０１に切り換える。この場合は、無線モジュール２０５が約６分間連続して送信モードで動作しない限り切り換えによるスループットの低下を招くことはない。
【００３０】
［第２の実施形態］
図４は、ＳＡＲを低減するための第２の実施形態の概要を説明するための図である。タブレット端末１０の長辺１１ｄに無線ＷＡＮのアンテナ１０１が配置され長片１１ｂに無線ＷＡＮのアンテナ１０３が配置され短辺１１ａに無線ＬＡＮのアンテナ１０５、１０７が配置された状態で人体１５１が筐体を保持している。
【００３１】
アンテナ１０１は受信モードで使用し、アンテナ１０３は送信モードと受信モードで使用する。アンテナ１０３は、長片１１ｂに沿って位置Ｘ１と位置Ｘ３の間で往復移動できるように図示しないアクチュエータで支持されている。図５は、タブレット端末１０が搭載するＳＡＲ軽減システム３００の構成を説明するための機能ブロック図である。無線ＷＡＮモジュール３０５は、受信回路３０５ａ、送信回路３０５ｂを含むＯＳＩ参照モデルの物理層を構成する。受信回路３０５ａは、アンテナ１０１および１０３に接続されている。送信回路３０５ｂはアンテナ１０３に接続されている。
【００３２】
スライド型のアクチュエータ３０１は、モータ機構、ソレノイド機構のように電力でアンテナ１０３を長辺１１ｂに沿って移動させる機構であれば特に限定しない。システム３０９は、システム２０９に対してネットワーク・ドライバ３１１だけが異なっている。システム３０９は、受信モードのときに常にアンテナ１０１、１０３の両方から受信した電波でパケットを受け取る。システム３０９は送信モードの時にアンテナ１０１だけから放射する電波でパケットを送信する。
【００３３】
ネットワーク・ドライバ３１１は、ＳＡＲの基準を満たすように利得Ｐのアンテナ１０３を一定の周期で位置Ｘ１と位置Ｘ３の間で往復移動させる。移動は位置ごとに短時間だけ停止するようにステップ状に移動させてもよいし、一定の速度で移動させてもよい。いま、位置Ｘ１、Ｘ２、Ｘ３でアンテナ１０３がそれぞれ所定の時間だけ停止するようにステップ状に移動した場合に、部位１５３、１５５、１５７がエネルギーを吸収するものとする。このとき部位１５３、１５５、１５７は、対応する位置に位置づけられた状態のアンテナ１０３が放射するエネルギーだけを吸収するように相互に十分に離れているとする。そして各位置で評価時間ｔに対してｔ／４ずつ停止して位置Ｘ１→Ｘ２→Ｘ３→Ｘ２の順番で、評価時間ｔに等しい移動周期が終了するようにアンテナ１０３が移動する。
【００３４】
この場合、位置Ｘ１、Ｘ３ではそれぞれｔ／４だけ停止するため、部位１５３、１５７が吸収するエネルギーＷ１はＷ０／４になり、位置Ｘ１、Ｘ３にアンテナ１０３を固定した場合に比べて利得が６ｄＢ下がったことに相当する。位置Ｘ２では、ｔ／２だけ停止するため、部位１５５が吸収するエネルギーＷ２はＷ０／２になり、アンテナ１０３の利得が３ｄＢ下がったことに相当する。１サイクルの移動周期の間に位置Ｘ２に停止したときの部位１５５のＳＡＲが最も大きくなる。
【００３５】
アンテナ１０３の利得がＰのときは、部位１５５が吸収するエネルギーがＳＡＲの基準を満たすために、移動周期を評価時間ｔの２倍未満の範囲で選択することができる。あるいは、移動周期を評価時間ｔに一致させるときは、アンテナ１０３の利得をＰより３ｄＢ増加させることができる。ＳＡＲ軽減システム２００は複数の送信アンテナが必要になるが、ＳＡＲ軽減システム３００は１つの送信アンテナだけでスループットを低下させないようにしながらＳＡＲを低減できる。
【００３６】
スライド型のアクチュエータ３０１に代えて、アンテナ１０３を９０度の範囲で回動させる回動型のアクチュエータを採用することもできる。図６は回動型のアクチュエータ（図示せず）を使ってアンテナ１０３の位置を移動させる方法を説明する図である。アンテナ１０３は、短辺１１ｃと長辺１１ｂのコーナーに配置し、軸３５１を中心にして回動型のアクチュエータ（図示せず）がアンテナ１０３を９０度の範囲で回動させる。したがってアンテナ１０３は、短辺１１ｃまたは長辺１１ｂのいずれかに位置付けられる。
【００３７】
短辺１１ｃに固定的に位置付けたときに部位１５３が吸収するエネルギーおよび長辺１１ｂに位置付けたときに短辺１１ｃに接近する部位が吸収するエネルギーがそれぞれＳＡＲの基準値未満であるとする。その結果、アクチュエータがＳＡＲの評価時間未満のなかで選択した周期でアンテナ１０３を回動させることで、短辺１１ｃと長辺１１ｂのいずれが人体に接近する状態で保持されてもＳＡＲの基準を満たすことができる。周知の方法で人体が接近するアンテナ１０３が位置付けられた辺を検出したときに、人体が接近していない辺に固定的に位置付けるようにアクチュエータを動作させることもできる。
【００３８】
軽減システム２００、３００における切り換え周期、移動周期、および回動周期は、各国のＳＡＲ規制に適合するように使用する国の情報をビーコンやＧＰＳなどから自動的に検出して変更してもよい。また人体センサと組み合わせて、人体が接近したときだけ、切り換え、移動、または回動を行うようにしてもよい。これまでＳＡＲ軽減システム２００、３００をタブレット端末１０に適用する例を説明したが、本発明はスマートフォンやタブレット・モードでも動作できるノートブック型パーソナル・コンピュータに適用することもできる。また、無線ＷＡＮのアンテナを例示して説明したが本発明は無線ＬＡＮにも適用できる。
【００３９】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【符号の説明】
【００４０】
１０  タブレット端末
１０１、１０３  無線ＷＡＮのアンテナ
１０５、１０７  無線ＬＡＮのアンテナ
１５１  人体
１５３、１５５、１５７  人体の部位（ＳＡＲの評価対象）
２００、３００  ＳＡＲ軽減システム
【図１】
2016032138.tif 000003
【図２】
2016032138.tif 000004
【図３】
2016032138.tif 000005
【図４】
2016032138.tif 000006
【図５】
2016032138.tif 000007
【図６】
2016032138.tif 000008